(57)【特許請求の範囲】
【請求項１】
木材の先端を加工する固定された縦加工機と、該縦加工機の前面に平行に固定された第１の固定コンベアと、前記縦加工機の一方の側部の第１の加工位置と前記第１の固定コンベアの一端の木材搬送位置との間で移動装置により平行に移動される移動コンベアと、前記第１の固定コンベアの他端と前記縦加工機の他方の側部に平行に固定された第２、第３の固定コンベアとからなり、前記移動コンベアで前記木材を載置して前記縦加工機の一方の側部の第１の加工位置へ移動して前記木材の一端を前記縦加工機に搬入して加工した後、前記移動コンベアを前記第１の固定コンベアの一端の搬送位置に移動して、前記加工した木材を前記第１の固定コンベアへ搬送し、この位置で前記移動コンベアに次の木材を搬入して前記第１の加工位置へ移動して前記縦加工機の第１の加工位置で加工するとともに、前記第１の固定コンベアで搬送された前記木材は前記第２の固定コンベアに搬入されて待機し、前記第２の固定コンベアに搬入された前記木材は前記第２又は第３の固定コンベアのいずれかに配置されたシリンダにより前記第３の固定コンベアに搬入され、前記第３の固定コンベアで前記縦加工機の他方の側部の第２の加工位置に移動して前記木材の他端を加工する間に、前記移動コンベアで第１の固定コンベアに搬入された前記木材を前記第２の固定コンベアで待機させることを特徴とするプレカット加工機。
【請求項２】
前記移動コンベアを移動する移動装置はシリンダであることを特徴とする請求項１記載のプレカット加工機。
【請求項３】
前記移動コンベアを移動する移動装置はモータであることを特徴とする請求項１記載のプレカット加工機。
【発明の詳細な説明】
【０００１】
【発明の属する技術分野】
本発明は、１つの縦加工機で効率よく木材の両端を加工するようにしたプレカット加工機に関するものである。
【０００２】
【従来の技術】
従来、この種のプレカット加工機としては、プレカット加工機の左に第１のローラコンベア群を装着し、右に第２のローラコンベア群を備え、第１の加工位置と第２の加工位置を直線状に配置し、第１の固定コンベアから第２の固定コンベアに木材を受け渡す木材受渡装置を備え、第２の加工位置でプレカット中に第１の加工位置への木材の搬入を可能にすることで、第２の加工位置から木材を搬出している時に加工ヘッドを待機させずに第１の加工位置で加工を行うことができるようにしたものが提案されている（特開平１１−９０９０５号公報）。
【０００３】
【発明が解決しようとする課題】
しかしながら、このようなプレカット加工機では、木材の片方の端部を加工した後、第１のローラコンベアから木材受渡装置で木材を第２のローラコンベアに移動する間は加工ができないため、作業能率が悪いという問題があった。
【０００４】
【課題を解決するための手段】
本発明は、木材の先端を加工する固定された縦加工機と、該縦加工機の前面に平行に固定された第１の固定コンベアと、前記縦加工機の一方の側部の第１の加工位置と前記第１の固定コンベアの一端の木材搬送位置との間で移動装置により平行に移動される移動コンベアと、前記第１の固定コンベアの他端と前記縦加工機の他方の側部に平行に固定された第２、第３の固定コンベアとからなり、前記移動コンベアで前記木材を載置して前記縦加工機の一方の側部の第１の加工位置へ移動して前記木材の一端を前記縦加工機に搬入して加工した後、前記移動コンベアを前記第１の固定コンベアの一端の搬送位置に移動して、前記加工した木材を前記第１の固定コンベアへ搬送し、この位置で前記移動コンベアに次の木材を搬入して前記第１の加工位置へ移動して前記縦加工機の第１の加工位置で加工するとともに、前記第１の固定コンベアで搬送された前記木材は前記第２の固定コンベアに搬入されて待機し、前記第２の固定コンベアに搬入された前記木材は前記第２又は第３の固定コンベアのいずれかに配置されたシリンダにより前記第３の固定コンベアに搬入され、前記第３の固定コンベアで前記縦加工機の他方の側部の第２の加工位置に移動して前記木材の他端を加工する間に、前記移動コンベアで第１の固定コンベアに搬入された前記木材を前記第２の固定コンベアで待機させるものであり、又、前記移動コンベアを移動する移動装置はシリンダであり、さらに、前記移動コンベアを移動する移動装置はモータであり、又、前記第１の固定コンベアの一端の搬送位置で、前記移動コンベアに前記木材を搬入するチェーンコンベア及び搬入部材を装着するものである。
【０００５】
【発明の実施の形態】
本発明では、縦加工機は固定され、その前面に第１の固定コンベアが装着され、移動コンベアが縦加工機の一端の第１の加工位置と第１の固定コンベアの一端の搬送位置との間で移動され、又、第１の固定コンベアの他端の搬送位置と縦加工機の他端の第２の加工位置にそれぞれ第２、第３の固定コンベアを装着することにより、移動コンベアに載置された木材は第１の加工位置で縦加工機で加工された後、第１の固定コンベアで第２の固定コンベアに搬送され、第２の固定コンベアから第３の固定コンベアへ第２又は第３の固定コンベアに装着したシリンダで木材を移動し、第３の固定コンベアで縦加工機の他端の第２の加工位置へ木材を移動して加工した後搬出することにより、縦加工機の一端の加工位置で加工された木材が第２の固定コンベアで待機している間に、次の木材が移動コンベアに搬入されて加工され、移動コンベアの次の木材が加工されている間に、第２の固定コンベアから第３の固定コンベアに搬入された木材を縦加工機の他端の第２の加工位置で加工するように構成したので、装置が簡単で、加工効率を向上させることができる。
【０００６】
【実施例】
図１は本発明の実施例のプレカット加工機の平面図、図２は図１の第１の移動コンベアの側面図、図３は第２、第３の固定コンベアの側面図で、縦加工機１の前面に第１の固定コンベア２が装着され、第１の固定コンベア２の一端に移動コンベア３が平行に装着され、この移動コンベア３に装着されたベアリング４は、図２に示すように、固定台５に装着されたレール６と係合することによって移動可能に構成され、この移動コンベア３の移動は固定台５に装着されたシリンダ７の駆動軸７ａを突き出すことによって、第１の固定コンベア２の一端の搬送位置２ａと縦加工機１の一端の第１の加工位置１ａの間で移動可能に装着され、さらに、移動コンベア３は上部に回転可能に装着されたローラ８がモータ９によって回転され、又、移動コンベア３の側部に支持部材１０が装着され、この支持部材１０の上部にクランプ１１が装着され、又、ローラ８と同じ平面にチェーンコンベア１２が装着され、ローラ８とチェーンコンベア１２の間の移動コンベア３の側部に支持台１３が装着され、この支持台１３の上にレール１４が装着され、このレール１４にベアリング１５が係合され、このベアリング１５は２つのシリンダ１６ａが装着された搬送装置１６に装着され、又、ローラ８の側部にストッパ１７がチェーンコンベア１２によって支持され、さらに、モータ１８の回転によって移動装置１９を回転することにより搬送装置１６が移動するように構成されている。
【０００７】
又、第１の固定コンベア２と他端と縦加工機１の他端の第２の加工位置１ｂとに装着された第２、第３の固定コンベア２０、２１は、図３に示すように、それぞれ互いに平行に装着され、第２、第３の固定コンベア２０、２１の上部にそれぞれローラ２２、２３が回転するように装着され、第３の固定コンベア２１にシリンダ２４が固定され、このシリンダ２４の駆動軸２４ａは第２の固定コンベア２０のローラ２２の上に搬入された木材２５を第３の固定コンベア２１のローラ２３の上に移動するように構成され、又、第３の固定コンベア２１の側部に搬出装置（図示せず）及びコロホィールコンベア２６が装着されている。
【０００８】
このように構成された本実施例のプレカット加工機では、移動コンベア３が第１の固定コンベア２の一端の搬送位置２ａに待機している時に、モータ１８の駆動によって駆動装置１９が駆動され、チェーンコンベア１２によって搬送された木材２５が搬送装置１６の位置まで搬送されると、ストッパ１７によって停止され、チェーンコンベア１２は停止し、その位置で搬送装置１６のシリンダ１６ａによって木材３６が持ち上げられ、この時チェーンコンベア１２は駆動せず、そこで搬送装置１６が木材２５を持ち上げた状態で移動し、所定の位置まで移動すると、停止してシリンダ１６ａが下降することにより木材２５を移動コンベア３上に載置した後、搬送装置１６は元に戻り、シリンダ７の駆動軸７ａをを駆動することにより、移動コンベア３は縦加工機１の第１の加工位置１ａに移動され、モータ９を駆動してローラ８を回転し、木材２５を縦加工機１の一端の加工部に搬入して木材２５の一端を加工し、加工が終了すると、木材２５は元の位置に戻り、シリンダ７の駆動軸７ａを元に戻すと、移動コンベア３は第１の固定コンベア２の搬送位置に移動されるので、モータ９を駆動してローラ８を回転し、木材２５を固定コンベア２に送ると、次の木材をチェーンコンベア１２から搬送装置１６で移動コンベア３に搬入して同じ操作を繰り返す。
【０００９】
次に、第１の固定コンベア２に搬送された木材２５は第１の固定コンベア２の他端に固定された第２の固定コンベア２０のローラ２２の上に搬送され、第２の固定コンベア２０のローラ２２の上のからシリンダ２４で第３の固定コンベア２１のローラ２３の上に移動され、第３の固定コンベア２１のローラ２３を駆動して木材２５の他端を縦加工機１の他端の第２の加工位置に移動することにより、木材２５の後端は縦加工機１の他端の加工部で加工された後、搬出装置及びコロホィールコンベア２６で木材２５が搬出され、木材２５を加工している間に、第１の固定コンベア２から搬送された次の木材２５は第２の固定コンベア２０で待機し、第２の固定コンベア２１の木材２５が搬出されると、第２の固定コンベア２０の木材２５が第３の固定コンベア２１に搬入される。
【００１０】
本実施例は、このように、移動コンベア３を移動して、第１の固定コンベア２の一端から縦加工機１の一端の加工部に木材２５を搬送して、縦加工機１の一端の加工部で木材２５の一端を加工している間に、その前に移動コンベア３から第１の固定コンベア２に搬送された木材２５は第２の固定コンベア２０から第３の固定コンベア２１にシリンダ２４で移動され、第３の固定コンベア２１で木材２５を縦加工機１の他端の加工部１ｂに搬送することにより、木材２５の他端が加工されるので、木材の両端の加工時間が短縮され、又、装置が簡単になるという利点がある。
【００１１】
なお、上記実施例で、移動コンベア３を移動する移動装置としてシリンダ７を使用したが、シリンダ７の代わりにモータを使用してもよい。
【００１２】
【発明の効果】
以上説明したように、本発明のプレカット加工機では、縦加工機は固定され、その前面に第１の固定コンベアが装着され、移動コンベアが縦加工機の一端の第１の加工位置と第１の固定コンベアの一端の搬送位置との間で移動され、又、第２の固定コンベアが第１の固定コンベアの他端の搬送位置に装着され、縦加工機の他端の第２の加工位置に第３の固定コンベアが装着されるように構成することにより、移動コンベアに搬送された木材は第１の加工位置で縦加工機で加工された後、第１の固定コンベアから第２の固定コンベアに搬送され、第２の固定コンベアから第３の固定コンベアにシリンダで搬入されて、縦加工機の他端の第２の加工位置へ移動して木材を加工して搬出することにより、縦加工機の一端の加工位置で加工された木材が第１の固定コンベアに移動している間に、次の木材が移動コンベアに搬入され、移動コンベアの移動で次の木材が加工されている間に、加工された木材は第１の固定コンベアから第２の固定コンベアに搬入され、さらに、第３の固定コンベアに搬入された木材を縦加工機の他端の第２の加工位置で加工することにより、加工効率を向上させることができ、又、装置が簡単になるという利点がある。
【図面の簡単な説明】
【図１】  本発明の実施例のプレカット加工機の平面図である。
【図２】  図１の第１の移動コンベアの左側面図である。
【図３】  図１の第２、第３の固定コンベアの右側面図である。
【符号の説明】
１                    縦加工機
２                    第１の固定コンベア
３                    移動コンベア
４                    ベアリング
５                    固定台
６                    レール
７                    シリンダ
８                    ローラ
９                    モータ
１０                  支持部材
１１                  クランプ
１２                  チェーンコンベア
１３                  支持台
１４                  レール
１５                  ベアリング
１６                  搬送装置
１７                  ストッパ
１８                  モータ
１９                  移動装置
２０                  第２の固定コンベア
２１                  第３の固定コンベア
２２、２３            ローラ
２４                  シリンダ
２５                  木材
２６                  コロホィールコンベア
【図１】
0004204804.tif 000002
【図２】
0004204804.tif 000003
【図３】
0004204804.tif 000004